Podtech/llm-jp-corpus-v4-ja_patent huggingface dataset:
(57)【要約】【課題】  従来の陶磁器製のコースターは上面が平面の為、大量の水が同時に垂れ落ちてくるとしばらくの間コースター上面に水が溜まってしまうことがあった。又、上面に図形や文字を表すときも釉薬や油性ペン等で表現していた。【解決手段】  本考案は、上面の一部が陶磁器製であるコースターの上面に溝を設けているため大量の水が同時に垂れ落ちてきてもまずその溝に水が垂れ落ち水でベチョベチョすることがない。又、そのコースター上面に設けた溝自体で図形や文字を表現する為従来の釉薬や油性ペン等で表現されたものとは違った印象を与えることができる。【選択図】  図３
0003107291.tif 000002
【実用新案登録請求の範囲】
【請求項１】
上面の一部又は全部が陶磁器製の素焼きの部分が露出しているコースターの上面に溝を設けた陶磁器製コースター
【請求項２】
請求項１記載の溝で図形又は文字を表現した陶磁器製コースター
【考案の詳細な説明】
【技術分野】
【０００１】  本考案は、飲み物が入ったコップや瓶などの下に敷いて使用するコースターに関するものである。
【背景技術】
【０００２】  従来のコースターは、紙、皮革、木、合成樹脂、金属、陶磁器、等で出来ていた。その中の陶磁器製のコースターは吸水性もある（例えば、特許文献１参照）。
【特許文献１】      特開２０００−１３９６６５号  公報
【考案の開示】
【考案が解決しようとする課題】
【０００３】  特許文献１のような従来の陶磁器製のコースターは上面が平面の為、大量の水が同時に垂れ落ちてくるとしばらくの間コースター上面に水が溜まってしまい上面が水でベチョベチョしていた。【０００４】  又、上面に図形や文字を表すときも釉薬や油性ペン等で表していた。
【課題を解決するための手段】
【０００５】  本考案は、上面の一部が素焼きの陶磁器製であるコースターの上面に溝を設け、大量の水が同時に垂れ落ちてきても、まずその溝に水が垂れ落ちる為、上面が水でベチョベチョしない。【０００６】  又、そのコースター上面に設けた溝自体で図形や文字を表現することができる。この場合従来の釉薬や油性ペン等で表現されていた図形や文字とは違った印象を与えることができる。
【考案の効果】
【０００７】  上述したように本考案の溝付き陶磁器製コースターは、コースター上面に大量の水が同時に垂れ落ちてきてもまずその溝に水が垂れ落ちる為、コースターから溢れ出た水滴でテーブルを濡らすことがない。【０００８】  又、そのコースター表面に設けられた溝で図形や文字を表現しているため、従来の釉薬や油性ペンで描かれたものとは違った印象を与えることができる。
【考案を実施するための最良の形態】
【０００９】  添付図面に従って一実施例を説明する。１は上面部が全て素焼きの陶磁器製で作られたコースター本体、２はコースター上面に設けられた溝であるが、溝の位置はグラスやコップや氷を入れた容器等を置くコースター中央部分に設ける。そうすることでグラスやコップや氷を入れた容器等から出た水滴が溝に溜まりやすくなりコースター表面がベチョベチョせずに快適である。その後、溝に溜まった水滴はコースターの内部に徐々に吸収されていく。【００１０】  ３はコースターからコップがはみ出さないように設けられた突起である。
【図面の簡単な説明】
【００】
【図１】  本考案の溝付き陶磁器製コースターの上面図である。
【図２】  本考案の溝付き陶磁器製コースターの正面図である。
【図３】  本考案の溝付き陶磁器製コースターのＡ−Ａ正面断面図である。
【図４】  本考案の溝付き陶磁器製コースターの底面図である。
【図５】  本考案の溝付き陶磁器製コースターの他の形態である。
【符号の説明】
【０００９】  １    コースター本体
２    溝
３    突起
【図１】
0003107291.tif 000003
【図２】
0003107291.tif 000004
【図３】
0003107291.tif 000005
【図４】
0003107291.tif 000006
【図５】
0003107291.tif 000007
(57)【要約】      （修正有）【課題】ボルトを脱着する作業において、非磁性体の六角穴付きボルトの落下を防止することができるホルダー付き六角ドライバーの提供。【解決手段】六角ドライバーの軸先端にパイプ状のホルダー３を同軸に設けることで、ホルダーが六角穴付きボルトの頭部を支持するため、ボルトが簡単には落下しにくい。また、ホルダーにスリット４を設けることでボルト頭部直径のばらつきによるがたつきなどの影響を小さくしている。【選択図】図１
0003107292.tif 000002
【実用新案登録請求の範囲】
【請求項１】
軸先端近くに円筒状のホルダーを同軸に設け、該ホルダーにスリットを設けたホルダー付き六角ドライバー。
【考案の詳細な説明】
【技術分野】
【０００１】
本考案は、六角穴付きボルト（キャップスクリュー）の脱着（緩める、締める）作業が容易なホルダー付き六角ドライバーに関するものである。
【背景技術】
【０００２】
作業工具の中で、六角穴付きボルトを回転させて緩めるまたは締めるための工具は、一般に低コストの利点があるので、断面形状が正六角形の鋼棒をＬ字形に曲げた「六角レンチ」が実用に共されている。
六角レンチは、手で握る部分がＬ形状の長辺側か短辺側かによって、作業に見合ったトルクや作業性が得られるため、手が入らないなどの特殊な状況を除けば実用上十分であった。
【０００３】
しかし、電気配線用の端子締結など狭い場所での作業性を重視するときには、比較的締め付けトルクが安定し且つ作業しやすいことから、ねじの頭と嵌合する先端が六角断面の鋼棒で反対側の握る部分が太い直線形状の、一般に「六角ドライバー」と呼ばれる工具が使われることが多い。図２は、六角ドライバーの外観例と六角穴付きボルトを示したものであり、１は軸、２は柄を表す。また、５は六角穴付きボルトを示している。このように六角ドライバーの先端がボルト頭部の六角穴に嵌合する以外、ボルトを支えるものはないので、作業中に六角穴付きボルトが落下しやすいという欠点があった。
【０００４】
六角穴付きボルトを締めたり緩めたりする作業において、この欠点は作業性に関して大きな障害である。具体的には、狭い場所で六角穴付きボルトに手を添えることができない場合、ボルトを落したために回収に長時間かかり、作業工数が増大するなどの問題があった。
【０００５】
この改善策として、ドライバーの軸先端を磁石化してボルトを磁力により吸着させる方法がある。しかしながらこの方法でも、ボルトの材質が非磁性体である場合には無力であった。
【考案の開示】
【考案が解決しようとする課題】
【０００６】
解決しようとする問題点は、ボルトを脱着する作業において非磁性体の六角穴付きボルトの落下を防止できない点である。
【課題を解決するための手段】
【０００７】
本考案は、非磁性体の六角穴付きボルトの落下を防止するため、六角ドライバーの軸先端にホルダーを有することを最も主要な特徴とする。
【考案の効果】
【０００８】
本考案のホルダー付き六角ドライバーは、軸先端に設けた円筒状のホルダーが六角穴付きボルトの頭部を覆って支持するため、ボルトが簡単には落下しにくいという利点がある。
【考案を実施するための最良の形態】
【０００９】
非磁性体の六角穴付きボルトの落下を防止するという目的を、最小の部品点数で、六角ドライバーの操作性を損なわずに実現した。
【実施例１】
【００１０】
図１は、本考案の１実施例を示した説明図であって、１〜２は、図２と同様であり、３はホルダー、４はスリットである。
【００１１】
ホルダー３は断面が円形のパイプ状であり、軸先端にボルト頭部中心の六角穴が嵌合した六角穴付きボルトはホルダー内側先端にも同時に嵌合する。
【００１２】
ボルトの大小に伴い、適合するホルダーの直径と軸の太さも変るので、従来の六角レンチや六角ドライバー同様、大小必要となる。
【００１３】
スリット４は六角穴付きボルトの頭部直径のばらつきを吸収して、常にホルダー内側がボルト頭部に密着する目的で設けている。本考案の主体は六角穴付きボルトの落下防止にあるので、材質、製造法の説明は省略する。
【００１４】
このようなホルダーを採用したので、六角穴付きボルトの頭部直径のばらつきが原因でがたつくこともなく、滑らかにボルトをセットできる。従って、作業者は六角穴付きボルトが非磁性体であっても、ホルダー付き六角ドライバーにより、ボルトを落下させることなく締めつけまたは緩め作業を効率よく行うことができる効果がある。
【産業上の利用可能性】
【００１５】
ステンレスのボルトを多用した装置の組立て工場や、そのような装置のメンテナンス作業などの用途に適用できる。
【図面の簡単な説明】
【００１６】
【図１】ホルダー付き六角ドライバーの実施例を示した説明図である。
【図２】従来の六角ドライバーを示した説明図である。
【符号の説明】
【００１７】
１    軸
２    柄
３    ホルダー
４    スリット
５    六角穴付きボルト
【図１】
0003107292.tif 000003
【図２】
0003107292.tif 000004
(57)【要約】【課題】  おみくじを自宅等で紛失しないように保管できる置き台として利用することができる結印を提供する。【解決手段】  裏面側を印面とする台座１の上部１ａに干支をモチーフとした図形（図では“酉”の図形）が形成され、台座１の上部１ａに開けられた穴１ｂを通しておみくじ４を結びつけるための紐２が取り付けられている。また、台座１の裏面には、六十干支の文字（“乙酉”）を押印するための図柄が描かれた印面を形成するゴム印３が貼り付けられている。【選択図】        図３
0003107260.tif 000002
【実用新案登録請求の範囲】
【請求項１】
裏面を印面とする印本体の上部に干支をモチーフとした図形が形成され、前記印本体の上部に開けられた穴を通しておみくじを結びつけるための紐が取り付けられていることを特徴とする結印。
【請求項２】
前記印面には、六十干支の文字を押印するための図柄が描かれていることを特徴とする請求項１に記載の結印。
【考案の詳細な説明】
【技術分野】
【０００１】
本考案は、おみくじを結びつけるための紐が取り付けられた結印に関する。
に関する。
【背景技術】
【０００２】
おみくじとは、そのおみくじを引いた人のこれからの生活や人生を占うものである。おみくじを引いた人の多くは、神社の所定の場所に結ぶようにしているが、本来は、おみくじの結果の優劣にかかわらず、自分でおみくじを所持するものである。おみくじを所持保管する場合、一般的には、財布等に入れるが、自宅等でも紛失しないように保管できる場所があれば、そこに保管するのが好ましい。
【考案の開示】
【考案が解決しようとする課題】
【０００３】
本考案は、おみくじを自宅等で紛失しないように保管できる置き台として利用することができる結印を提供することを目的とする。
【課題を解決するための手段】
【０００４】
本考案の結印は、裏面を印面とする印本体の上部に干支をモチーフとした図形が形成され、前記印本体の上部に開けられた穴を通しておみくじを結びつけるための紐が取り付けられているものである。引いたおみくじを結印の紐に結びつけた状態で自宅の神棚等に置いておけば、おみくじを自宅で紛失しないように保管することができる。
【０００５】
また、印面には、六十干支の文字を押印するための図柄が描かれているようにすることができる。このようにすれば、台座の上部に干支をモチーフとした図形と対応した印とすることができ、それを例えば、お札に押印することによりオリジナルなお守りを作製することができる。
【考案を実施するための最良の形態】
【０００６】
図１、図２に、本考案の一実施形態に係る結印を斜め上から見た斜視図、斜め下から見た斜視図を示す。
【０００７】
この結印は、裏面側を印面とする台座１の上部１ａに干支をモチーフとした図形が形成され、台座１の上部１ａに開けられた穴１ｂを通しておみくじを結びつけるための紐２が取り付けられている。また、台座１の裏面には、六十干支（干支、十干を組み合わせたもの）の文字を押印するための図柄が描かれた印面を形成するゴム印３が貼り付けられている。この実施形態では、２００５年の年号を“乙酉”とし、台座１の上部１ａに“酉”をモチーフにした図形が形成され、印面に“乙酉”を押印するための図柄が描かれたものとしている。
【０００８】
台座１は、四角柱状の台座本体１ｃと、干支をモチーフとした図形が形成された上部１ａとが一体に構成されたものであり、材質は陶器で色は白色である。なお、台座本体１ｃと上部１ａとは一体でなく別体で構成されていてもよい。また、台座１の材質は、陶器以外に金属、プラスチック、ガラス、木などであってもよい。
【０００９】
紐２は、おみくじを結びつけるためのものであり、台座１の上部１ａに開けられた穴１ｂを通し、おみくじを結びつけるに必要な大きさの空間が形成されるように縛られている。
【００１０】
図３に、おみくじ４を結印の紐２に結びつけた状態を示す。このような状態で自宅の神棚等に置いておけば、神社等で引いたおみくじを自宅で紛失しないように保管することができる。つまり、おみくじを自宅等で紛失しないように保管できる置き台としてこの結印を利用することができる。
【００１１】
図４（ａ）に、この結印を用いて押印したものを示す。このような押印をお札に行えば、オリジナルなお守りを作製することができる。
【００１２】
なお、上記した実施形態では、年号を“乙酉”とした場合の結印について説明したが、年号が変われば、それに応じて、台座１の上部１ａに形成される干支をモチーフとした図形および印面に描かれる六十干支の文字を押印するための図柄は適宜変更されて実施される。
【００１３】
また、印面には、年号でなく、例えば図４（ｂ）に示すような“神霊”を押印するための図柄が描かれたもの、あるいは図４（ｃ）に示すような“神霊”に年号（図に示すものは“乙酉”）を小さく付加したものを押印するための図柄が描かれたものとしてもよい。また、そのような文字図柄に寺院のイメージ図柄を加えた印面としてもよい。
【００１４】
また、上記した実施形態では、台座１とその裏面に貼り付けられたゴム印３により印本体を構成し、台座１の上部１ａを印本体の上部とするものを示したが、ゴム印３を用いずに台座１そのものを印本体とし、その裏面に六十干支の文字を押印するための図柄を直接形成（刻印）して印面を形成するようにしてもよい。
【００１５】
また、予めおみくじを結印の紐２に結びつけものをケース内に収納し、それをおみくじの種類別に用意して、引いたおみくじの番号に対応した種類のものを販売するようにしてもよい。
【図面の簡単な説明】
【００１６】
【図１】本考案の第１実施形態に係る結印を斜め上から見た斜視図である。
【図２】本考案の第１実施形態に係る結印を斜め下から見た斜視図である。
【図３】おみくじ４を結印の紐２に結びつけた状態を示す図である。
【図４】結印を用いて押印した文字を示す図である。
【符号の説明】
【００１７】
１…台座、１ａ…台座１の上部、１ｂ…台座１の上部１ａに開けられた穴、１ｃ…台座本体、２…紐、３…印面を形成するゴム印、４…おみくじ。
【図１】
0003107260.tif 000003
【図２】
0003107260.tif 000004
【図３】
0003107260.tif 000005
【図４】
0003107260.tif 000006
(57)【要約】【課題】  石であるので半永久的に保存でき且つ現代感覚にマッチしたサーフボードの形をした、記念碑、看板、墓石等の石工物を提供する。【解決手段】  サーフボード形をした石を立てて作り、その下に基台を作る。サーフボードの形の石が基台の上に立っている。墓石には前部に波の形を形成する。すると波の上に立ったサーフボードが形成される。全体は一体的に石で作られる。サーフィンの好きだった人は、こういう墓石を建てたいであろうし、店先の看板としても極めて現代感覚にマッチし気の効いたものであり、記念碑としても極めてよく用いることができる。【選択図】  図１
0003107259.tif 000002
【実用新案登録請求の範囲】
【請求項１】
サーフボードの形をした石が墓石の上に立ててあり、その基台には、前部で横方向に波の形を形成し、全体が一体的に作られた、記念碑、看板、墓石等に用いる石工物。
【考案の詳細な説明】
【技術分野】
【０００１】
本考案は、石でできた記念碑、看板、墓石等の石工物に関する。
【背景技術】
【０００２】
従来より、これに類する石工物は全く無い。
【特許文献１】特記すべき先行文献なし。
【非特許文献１】これは類するものは全く無い。
【考案の開示】
【考案が解決しようとする課題】
【０００３】
本考案は、サーフボードの形の石工物により極めて美的感覚のある記念碑、看板、墓石等を実現するものである。
【課題を解決するための手段】
【０００４】
本考案は、サーフボードの形をした石が墓石の上に立ててあり、その基台には、前部で横方向に波の形を形成し、全体が一体的に作られた、記念碑、看板、墓石等に用いる石工物である。
【考案の効果】
【０００５】
サーフィンの好きだった人は、こういう墓石を好むであろうし、看板としても店先にこういうものを建てれば、極めて気の効いた看板となり、記念碑としても良く使うことができる。サーフィンは今や絶大な人気があり、この石工物は、現代感覚にマッチしている。又、石であるので、半永久的に保存することができる。
【考案を実施するための最良の形態】
【０００６】
サーフボードの形をした石１を立てて作り、その下に長い立方状の基台２を一体的に設ける。基台２は、その前面で横方向に波の形３を形成する。
【０００７】
これにより、波の上に乗ったサーフボードという形ができる。
【０００８】
全部が石でできており、記念碑、看板、墓石等として用いる。
【０００９】
サーフボードの形の部分は側面より見るとサーフボードと同じように反っている。
【産業上の利用可能性】
【００１０】
サーフィンは今や非常に人気のあるスポーツであり、サーフボードの形をした石工物は、現代的な新しい感覚があり広く利用されると思う。
【図面の簡単な説明】
【００１１】
【図１】斜視図である。
【図２】正面図である。
【図３】側面図である。
【符号の説明】
【００１２】
１  サーフボードの形をした石
２  基台
３  波の形
【図１】
0003107259.tif 000003
【図２】
0003107259.tif 000004
【図３】
0003107259.tif 000005
(57)【要約】      （修正有）【課題】仰臥姿勢における頸部を安定して支持することができると共に横臥姿勢における使用感に優れた枕を提供する。【解決手段】横長の矩形状袋体１が、中央枕部２と、その中央枕部２を中心として左右対称に配置される端枕部３，３と、それら端枕部の間で、かつ、横方向の一方側に配置される中間枕部４とに区画して形成され、その中央枕部２内に柔らかな素材のスポンジ状発泡体１０を充填すると共に該端枕部と中間枕部内に硬めの素材のプラスチック製筒片１１を充填し、その中間枕部の高さを基準にして中央枕部を低く、端枕部をやや高くするように設けた。【選択図】図２
0003107257.tif 000002
【実用新案登録請求の範囲】
【請求項１】
横長の矩形状袋体が、中央枕部と、その中央枕部を中心として左右対称に配置される端枕部と、それら端枕部の間で、かつ、横方向の一方側に配置される中間枕部とに区画して形成され、その中央枕部内に柔らかな素材の充填部材を充填すると共に該端枕部と中間枕部内に硬めの素材の充填部材を充填し、その中間枕部の高さを基準にして中央枕部を低く、端枕部をやや高くするように設けたことを特徴とする枕。
【請求項２】
前記端枕部と中間枕部とが連通するように形成されていて、それらの何れかの枕部の側辺部を開閉自在に設け、その側辺部から該端枕部と中間枕部内に充填部材を充填するように設けたことを特徴とする請求項１に記載の枕。
【考案の詳細な説明】
【技術分野】
【０００１】
本考案は、就寝時に用いられる枕に関する。
【背景技術】
【０００２】
就寝時に用いられる枕は、古くから様々な形態や素材のものが考案されて使用されてきている。例えば、特開平７−６７７５７号公報には、二つの山形部を奥行き方向に波状に形成したポリウレタンフォーム等の合成樹脂発泡体からなる芯材を設け、その芯材の頭部を乗せる箇所に通気性の良い表被部材を備えた構造の枕が開示されている。また、登録実用新案第３０９５７７０号公報には、少なくとも二つに分割された中央枕部の外周囲に、４個の同じ大きさでほぼＬ字形状の端枕部を配置して、各枕部に蕎麦殻等の充填部材を充填し、中央枕部の高さを最も低く、端枕部については中央部分を最も高くし周辺部分をやや低くなるように設けられた枕が開示されている。その他、多数の細長く形成された枕部を平行に配列してマット状に設け、それを適宜折りたたむことにより枕の高さを変えるようにした構造の枕もある。
【０００３】
顔を横に向けた横臥姿勢の場合には、下側となる肩部分から首筋にいたるまでの高さが仰臥姿勢の状態における高さと比べて大きくなることから、従来の枕では、頭部を載せる部分が低い枕では、頭部が下がってしまうために快適な睡眠が得られにくいと言える。
【特許文献１】特開平７−６７７５７号公報
【特許文献２】登録実用新案第３０９５７７０号公報
【考案の開示】
【考案が解決しようとする課題】
【０００４】
この考案の目的は、仰臥姿勢における頸部を安定して支持することができると共に横臥姿勢における使用感に優れた枕を提供することにある。
【課題を解決するための手段】
【０００５】
請求項１に記載した考案の枕は、横長の矩形状袋体が、中央枕部と、その中央枕部を中心として左右対称に配置される端枕部と、それら端枕部の間で、かつ、横方向の一方側に配置される中間枕部とに区画して形成され、その中央枕部内に柔らかな素材の充填部材を充填すると共に該端枕部と中間枕部内に硬めの素材の充填部材を充填し、その中間枕部の高さを基準にして中央枕部を低く、端枕部をやや高くするように設けたことを特徴とする。
【０００６】
請求項２に記載した考案は、請求項１に記載の枕において、前記端枕部と中間枕部とが連通するように形成されていて、それらの何れかの枕部の側辺部を開閉自在に設け、その側辺部から該端枕部と中間枕部内に充填部材を充填するように設けたことを特徴とするものである。
【考案の効果】
【０００７】
この枕によれば、仰臥姿勢にて頭部が低い高さで柔らかめの中央枕部で支持され、頸部は中央枕部より高くて硬めの中間枕部により安定して支持され、頭部から頸部に至る部分が自然体に近い理想的な姿勢に保持されるため、快適な睡眠を得やすい。
【考案を実施するための最良の形態】
【０００８】
以下に、本考案の最良の形態例を図面に基づいて説明する。図１は枕の正面図、図２は図１のＡ−Ａ線断面図、図３は図１のＢ−Ｂ線断面図である。
【０００９】
図１に本考案の枕Ｐを示す。この枕Ｐの袋体１は、綿布等の生地を裁断して横長の矩形状とし、中央枕部２と、その中央枕部２を中心として左右対称に配置される端枕部３，３と、それら端枕部３，３の間で、かつ、横方向の一方側１ａに配置される中間枕部４とに区画されるように形成されている。その端枕部３，３と中間枕部４とは、連通するように設けられている。また、一方の端枕部３の側辺部３ａは開放されており、その開放された箇所に取付けたファスナー６によって該側辺部３ａが開閉自在に設けられている。
【００１０】
その中央枕部２の内部には、柔らかな素材の充填部材、例えば、厚さが約２ｃｍの矩形状のスポンジ状発泡体１０を充填し、その周囲部分ｄを縫着している。
なお、その充填部材については、その発泡体１０に代えて、高い圧力分散性を有する低反発弾性のポリウレタンフォームを用いることもできる。
【００１１】
その端枕部３，３と中間枕部４の内部には、プラスチック製筒片、プラスチック製粒状物や蕎麦殻等の硬めの素材の充填部材、ここではプラスチック製筒片１１を適宜量充填する。そして、その中間枕部４の高さ（例えば、約６ｃｍ）を基準にして中央枕部２を低く（例えば、約２ｃｍ）、端枕部３，３をやや高く（例えば、約７〜８ｃｍ）した枕Ｐを構成する。
【００１２】
つぎに、かかる構成になる本考案の枕Ｐの作用について述べる。
仰臥姿勢における頭部は、低い高さの柔らかめの中央枕部２で支持され、下側となる頸部は、中央枕部２より高くて硬めの中間枕部４により安定して支持される。また、顔を横に向けた横臥姿勢では、中央枕部２より高くて硬めの端枕部３，３により頭部が支持されるので、首筋から肩部分が圧迫されない。
【００１３】
以上に述べた通り、この枕は、頭部から頸部に至る部分が自然体に近い理想的な姿勢に保持されるため、快適な睡眠を得やすいという利点がある。
【図面の簡単な説明】
【００１４】
【図１】枕の正面図
【図２】図２は図１のＡ−Ａ線断面図
【図３】図３は図１のＢ−Ｂ線断面図
【符号の説明】
【００１５】
Ｐ・・・枕
１・・・袋体  １ａ・・・一方側
２・・・中央枕部
３，３・・・端枕部
４・・・中間枕部
３ａ・・・側片部
６・・・ファスナー
１０・・・スポンジ状発泡体（充填部材）
１１・・・プラスチック製筒片（充填部材）
【図１】
0003107257.tif 000003
【図２】
0003107257.tif 000004
【図３】
0003107257.tif 000005
(57)【要約】【課題】薄毛、ハゲの場合、かつら、植毛、増毛などいろいろな手段が考案されているがそれを隠すのではなく、かっこよくさらす方法というのが今までなかった。【解決手段】そこで本考案のちょんまげの髷の部分だけのアクセサリー、もしくはかつらを作ることによって、ムレることなく日本の伝統ヘアスタイルを楽しむことができ、新しい価値観すら提案できることと思う。【選択図】  図１
0003107254.tif 000002
【実用新案登録請求の範囲】
【請求項１】
ちょんまげの髷の部分のみというところが特徴である、かつら、帽子を含むちょんまげ型アクセサリー．
【請求項２】
固定点には、粘着素材、ヘアピンなどの補助部品も考えられるが、基本的に頭頂部と後頭部の二点で固定し、取り外し可能なちょんまげ型アクセサリー
【考案の詳細な説明】
【技術分野】
【０００１】  本考案は、頭のてっぺんにつけるちょんまげ型かつら、またはアクセサリーである。
【背景技術】
【０００２】  ちょんまげとは、本来側頭部、後頭部の髪を束ね、結ったもので、かつらにしても一体型のものしかなかった。
【考案の開示】
【考案が解決しようとする課題】
【０００３】  ちょんまげというヘアースタイルをするためには、サイドや後ろ髪をのばす必要があった。またかつらとしては一体型のものしかなく、ムレたり大変である。
【課題を解決するための手段】
【０００４】  そこでちょんまげ部分のみのアクセサリー、またはかつらをつくる。
後ろ髪や、サイドの髪が短くとも、ちょんまげというスタイルを楽しむことができ、一体型のかつらのようにかぶるものでもない。そのため通気性もよく、取り外し可能で、新しいファッションのアイテムのひとつのして使用されるものである。
【考案の効果】
【０００５】ちょんまげとしてのヘアスタイルが確立すれば、Ｍ字ハゲ、頭頂部のハゲの人もそれを隠すのではなくさらした上で、スタイルを楽しむことができる。
【考案を実施する最良の形態】
【０００６】  素材に関してはゴムや、プラスチック、人毛、人工毛など適宜素材を用いる。
固定方法もヘアピン、両面テープも考えられるが、簡単に取り外しできるように頭頂部、後頭部の二点でばね等の原理で挟み込む形がよいだろう。
【図面の簡単な説明】
【０００７】
【図１】本考案のちょんまげの正面図
【図２】ちょんまげの断面図
【図１】
0003107254.tif 000003
【図２】
0003107254.tif 000004
(57)【要約】【課題】  本考案は、容易に髪全体をまとめあげ、防水生地によりしぶきに強く、素早く乾燥させるタ−バンを提供するものである。【解決手段】上部ゴムひも３にひもホルダ−４を取り付けたことにより、髪全体を一度でまとめあげ、タ−バンと髪を密着させ素早く乾燥させる。タ−バンに防水生地２を付け、再度しぶきによって濡れるのを防ぐ。【選択図】  図２
0003107263.tif 000002
【実用新案登録請求の範囲】
【請求項１】
吸水性の生地で筒状体を作り、外側には防水生地を付け、筒状体の上下にゴムひもを付け、一方のゴムひもにひもホルダ−を取り付け、このひもホルダ−でゴムひもの長さを変えられるようにしたことを特徴とする防水で乾燥キッズタ−バン。
【考案の詳細な説明】
【技術分野】
【０００１】  本考案は、髪全体を容易にまとめあげ、素早く乾かすことができ、再度しぶきによって濡れるのを防ぐために防水生地を使用したものである。
【背景技術】
【０００２】  特に長い髪だとまとまりにくく、毛先が飛び出てしまったり、髪の重みでほどけてしまい再度濡れて乾きも悪く、手間がかかってしまう。
【考案の開示】
【考案が解決しようとする課題】
【０００３】  長い髪だとまとまりにくく、毛先まで包み込めないもの、包み込めても髪の重みでほどけてしまったり、シャワ−や子供のお風呂遊びなどのしぶきで濡れてしまったり、つけていても、つけていないのと同じような難点があった。本考案は、この課題を解消するためになされたものである。
【課題を解決するための手段】
【０００４】  吸水性の生地で筒状体のタ−バンを作り、そのタ−バンの上下にゴムひもを付け、上の部分となるゴムひもに、ひもホルダ−を取り付け髪をまとめやすくした。タ−バンを首までかぶり、髪を全部出したあとタ−バンの上の部分を引っ張り上げる。それにより髪全体が包み込まれ、まとまったところでゴムひもを、ひもホルダ−で長さを変える。長さを変えてたるんだゴムひもが、たるまない位置にボタンを付けて、そのボタンにたるんだゴムひもを引っかける。タ−バンに防水生地を付け、しぶきによって再度濡れるのを防ぎながら乾かすことができる。
【考案を実施するための最良の形態】
【０００５】  吸水性生地７で筒状体にしたタ−バンの外側に、防水生地２を付ける。【０００６】  タ−バン上部１に上部ゴムひも３を通し、その上部ゴムひも３にひもホルダ−４を付け長さを変えられるようにした。【０００７】  上部ゴムひも３の長さを変え、余った上部ゴムひも３がたるまない所にボタン５を縫い付け、上部ゴムひも３を引っかけられるようにする。
【考案の効果】
【０００８】  タ−バンの上の部分に長さを変えられるゴムをつけたことにより、かぶりやすく髪全体を一度でまとめあげ、タ−バンと髪を密着させる。そのため、素早く乾かすことができ、防水生地を使用しているため、再度しぶきによって濡れるのを防ぐ。タ−バンの上下ゴム部分まで防水生地を縫いつけないのは、肌に触れる部分でもあり、かぶる時など肌に触れ不快感を与えないよう柔らかな肌触りにした。
【図面の簡単な説明】
【０００９】
【図１】・・・本考案の斜視図である。
【図２】・・・本考案の使用状態を示す図である。
【符号の説明】
【００１０】      １・・・タ−バン上部
２・・・防水生地
３・・・上部ゴムひも
４・・・ひもホルダ−
５・・・ボタン
６・・・タ−バン下部
７・・・吸水性生地
【図１】
0003107263.tif 000003
【図２】
0003107263.tif 000004
(57)【要約】【課題】キャップが取れても、すぐに補修できるビニール傘を提供する。【解決手段】傘の骨２の先端に挿入されるキャップ４と、キャップ４に取付けられ、傘布３に貼付可能な補修パッチ５とからなる。補修パッチ５は貼付シート５１と剥離紙５３からなり、ほぼ円形をなしている。貼付シート５１の剥離紙側面には接着剤が塗布されている。使用中に傘のキャップ４がもぎ取れたら、補修パッチ５の貼付シート５１，５２を傘布３に貼付してキャップ４を骨２の先端に挿入すれば、再び傘布３を複数本の骨２の上面に張り渡すことができる。【選択図】図１
0003107267.tif 000002
【実用新案登録請求の範囲】
【請求項１】
傘の骨の先端に挿入されるキャップと、
該キャップに取付けられ、傘布に貼付可能な補修パッチとからなる
ことを特徴とするビニール傘の補修キット。
【考案の詳細な説明】
【技術分野】
【０００１】
本考案は、ビニール傘に関する。
【背景技術】
【０００２】
ビニール傘は金属製の複数本の骨と、骨に張るシート状の傘布と、これらを支持する軸柄からなり、軸柄の下端には握りが付いている。
安価なビニール傘は、図４に示すように、軸柄１の上端に８本程度の骨２を取付ており、この数本の骨２に合わせて傘布３も８角形となっている。
この傘布３の８カ所の露先部には、キャップ４が溶着されており、このキャップ４を各骨２の先端に挿入すると、シート状の傘布３をほぼ円形にピンと張って傘として完成することができる。
【０００３】
ところが、このキャップ４は傘布３に溶着されているだけであるので、強度的に非常に弱く、使用中にときどき、図５に示すように、溶着部５の周りで破れたり、もぎ取れることがある。この場合、傘布はたるんでしまい、傘として使用できなくなる。そして、多くの場合、捨てられてしまう。
しかし、傘全体としては、まだ立派でありながら、ほんの小さな部品一つが無くなっただけで捨てるのは不経済である。
【０００４】
【非特許文献１】商品大辞典  1220頁  １９９２年１０月１５日第１２版発行  東洋経済新報社
【考案の開示】
【考案が解決しようとする課題】
【０００５】
そこで本考案は、キャップが取れても、すぐに補修できるビニール傘を提供することを目的とする。
【課題を解決するための手段】
【０００６】
第１考案のビニール傘の補修キットは、傘の骨の先端に挿入されるキャップと、該キャップに取付けられ、傘布に貼付可能な補修パッチとからなることを特徴とする。
【考案の効果】
【０００７】
第１考案によれば、使用中に傘のキャップがもぎ取れたら、補修キットのパッチを傘布に貼付してキャップを骨の先端に挿入すれば、再び傘布を複数本の骨の上面に張り渡すことができる。
【考案を実施するための最良の形態】
【０００８】
つぎに、本考案の実施形態を図面に基づき説明する。
図１は本考案の第１実施形態に係る補修パッチの斜視図である。図２は本考案の第２実施形態に係る補修パッチの斜視図である。図３は第２実施形態に係る補修パッチの側面図である。
【０００９】
図１には第１実施形態の補修パッチ５が示されている。この補修パッチ５は貼付シート５１と剥離紙５３からなり、ほぼ円形をなしている。そして、貼付シート５１の剥離紙側面には接着剤が塗布されている。ただし、１カ所に切込みが形成されて、その内部にキャップ４が配置されるようになっている。キャップ４の入口側端部と貼付シート５１とは、ヒートシール等で溶着した溶着部５４で結合されている。
この補修パッチ５では、剥離シート５３を剥がして、傘布３の露先部に貼付すれば、もぎ取れたキャップの代りの新しいキャップ４を傘に取付けることができる。そして、この新たなキャップ４を骨２の先端部に挿入すれば、傘布３を元どおりにピンと張ることができる。
【００１０】
図２および図３には、第２実施形態の補修パッチ５が示されている。この補修パッチ５は２枚の貼付シート５１，５２からなり、ほぼ扉形をなしている。そして、貼付シート５１，５２の互いに向き合う面には接着剤が塗布されている。
また、貼付シート５２の根元は、キャップ４の入口側端部にヒートシール等で溶着した溶着部５４で結合されている。
この補修パッチ５では、貼付シート５１，５２を、傘布３の露先部に貼付すれば、もぎ取れたキャップの代りの新しいキャップ４を傘に取付けることができる。そして、この新たなキャップ４を骨２の先端部に挿入すれば、傘布３を元どおりにピンと張ることができる。
【図面の簡単な説明】
【００１１】
【図１】本考案の第１実施形態に係る補修パッチの斜視図である。
【図２】本考案の第２実施形態に係る補修パッチの斜視図である。
【図３】第２実施形態に係る補修パッチの側面図である。
【図４】ビニール傘の平面図と部分拡大図である。
【図５】キャップがもぎ取れた状態の説明図である。
【符号の説明】
【００１２】
１    軸柄
２    骨
３    傘布
４    キャップ
５    補修パッチ
【図１】
0003107267.tif 000003
【図２】
0003107267.tif 000004
【図３】
0003107267.tif 000005
【図４】
0003107267.tif 000006
【図５】
0003107267.tif 000007
(57)【要約】【課題】手軽に肌を冷却して、皮膚の活性化をうながすことができる肌冷却具に関する。【解決手段】  開口部を有する容器（１）の内部に液体が保持される。容器の蓋（３）を容器に設置した状態で、容器の内側を向く面に凸部（３Ｂ）が設けられ、容器の外側を向く面に取っ手（３Ｃ）が設けられている。【選択図】  図１
0003107241.tif 000002
【実用新案登録請求の範囲】
【請求項１】
開口部を有し、内部に液体を保持可能な容器と、
前記容器の蓋であって、該容器に該蓋を設置した状態で該容器の内側を向く面に凸部が設けられ、該容器の外側を向く面に取っ手が設けられた前記蓋と
を有する肌冷却具。
【請求項２】
前記容器内に液体を満たして前記容器に前記蓋を設置した状態で、前記液体を固化させ、前記蓋を前記容器から取り外した時、前記凸部は、前記液体の固化物が前記蓋から脱落しないような形状とされている請求項１に記載の肌冷却具。
【請求項３】
前記取っ手は、使用者の指が挿入される環状部分を含む請求項１または２に記載の肌冷却具。
【請求項４】
前記凸部は、該凸部の基部から先端に進むに従って、平断面の面積が大きくなる部分を含む請求項１〜３のいずれかに記載の肌冷却具。
【請求項５】
前記凸部の先端は、曲率半径５ｍｍよりも緩やかな丸みを帯びている請求項１〜４のいずれかに記載の肌冷却具。
【請求項６】
前記蓋の平面形状は、直径２ｃｍの円を含み、直径７ｃｍの円に含まれる請求項１〜５のいずれかに記載の肌冷却具。
【請求項７】
前記凸部は、前記蓋が前記容器に設置された状態で、前記蓋の内側の面から前記容器の内側の底面までの深さの１／４よりも深い位置まで達している請求項１〜６のいずれかに記載の肌冷却具。
【考案の詳細な説明】
【技術分野】
【０００１】
本考案は、肌冷却具に関し、特に液体を固化させた固化物で肌を冷やして引き締める肌冷却具に関する。
【背景技術】
【０００２】
実用新案登録文献１に、顔面を覆うマスク本体を、ゲル状の蓄冷剤を封入した柔軟な合成樹脂製の袋体によって形成した美顔用冷却マスクが開示されている。顔面に冷たい刺激を与えることにより、皮膚の活性化と新陳代謝をうながし、肌を引き締めることができる。
【特許文献１】実用新案登録第３００８２６７号
【考案の開示】
【考案が解決しようとする課題】
【０００３】
実用新案登録文献１に記載された美顔用冷却マスクは、顔面のほぼ全面を覆うやや大掛かりなものである。
【０００４】
本考案の目的は、手軽に肌を冷却して、皮膚の活性化をうながすことができる肌冷却具に関する。
【課題を解決するための手段】
【０００５】
本考案の一観点によると、開口部を有し、内部に液体を保持可能な容器と、前記容器の蓋であって、該容器に該蓋を設置した状態で該容器の内側を向く面に凸部が設けられ、該容器の外側を向く面に取っ手が設けられた前記蓋とを有する肌冷却具が提供される。
【考案の効果】
【０００６】
容器の中を水等の液体で満たし、蓋をして液体を凍らせる。蓋を容器から取り外した時、液体の固化物が蓋の凸部で保持されて、蓋に貼り付いた状態になる。蓋の取っ手を持って、液体の固化物を肌に押し当てて、肌を冷やすことができる。これにより、肌の新陳代謝を高め、美顔効果が期待される。
【考案を実施するための最良の形態】
【０００７】
図１に、実施例による肌冷却具の断面図を示す。実施例による肌冷却具は、開口部を有する容器１と、その蓋３で構成される。容器１の側面に複数の脚２が設けられている。容器１は、脚２により、開口部を上方に向けて水平面上に安定してその姿勢を保つことができる。
【０００８】
蓋３は、主部３Ａ、凸部３Ｂ、及び取っ手３Ｃを含んで構成される。主部３Ａは、円盤状の形状を有し、その外周が容器１の内面に接触することにより、容器１内の空間を密閉する。主部３Ａの平面形状は、好ましくは、直径２ｃｍの円を含み、直径７ｃｍの円に含まれる大きさである。
【０００９】
凸部３Ｂは、蓋３を容器１に設置した状態で、主部３Ａの表面のうち、容器１の内側を向く面に設けられており、その基部から先端に進むに従って、平断面の断面積が大きくなる部分を含でいる。すなわち、先端に進むに従って広がる部分を含んでいる。凸部３Ｂの先端は、曲率半径５ｍｍよりも緩やかな丸みを帯びている。
【００１０】
取っ手３Ｃは、主部３Ａの外側を向く面に設けられており、使用者の指が挿入される環状部分を含む。環状部分の内径は、例えば１．５〜２．５ｃｍである。
【００１１】
容器１内に水等の液体を満たし、蓋３を設置すると、凸部３Ｂが液体中に浸漬される。この状態で、肌冷却具を例えば冷凍庫に入れて、液体を固化させる。冷凍庫から取り出し、蓋３を取り外す。容器１の外側の表面に水を接触させることにより、蓋３を容易に取り外すことができる。液体の固化物は、凸部３Ｂにより蓋３に保持された状態になる。凸部３Ｂが、先端に進むに従って広がる部分を含んでいるため、固化物は、蓋３から脱落しにくい。蓋３を容器１に設置した状態で、凸部３Ｂが、主部３Ａの内側の面から容器１の底面までの深さの１／４よりも深い位置まで達する。凸部３Ｂをこのような大きさにすることにより、固化物をより安定して蓋３に保持することができる。図１では、凸部３Ｂをほぼ球状としたが、その他の形状としてもよい。例えば、棒状体の先端を根元よりも太くした形状としてもよい。
【００１２】
取っ手３Ｃ内に指を通し、蓋３に保持された固化物を顔面に押し当てることにより、肌を冷やし、引き締めることができる。図１では、取っ手３Ｃを円環状としたが、その他の形状としてもよい。例えば逆Ｕ字状としてもよい。
【００１３】
容器１や蓋３を、透明または半透明の樹脂で形成することにより、内部を観察することができ、取り扱いが容易になる。凸部３Ｂの先端が、曲率半径５ｍｍよりも緩やかな丸みを帯びているため、固化物が液化して凸部３Ｂが露出しても、肌が傷つくことは無く安全である。さらに、凸部３Ｂを目元や目じり等に押し当てて、マッサージ（つぼを押す）することも可能である。
【００１４】
図２に示すように、容器１をより深くし、蓋３が開口部よりもやや深い位置に固定されるようにしてもよい。容器１の内側の側面に設けられた突起５により蓋３の深さ方向の位置が拘束される。容器１に、蓋３の拘束される位置よりも高い位置まで液体を満たしておくと、蓋３を容器１に設置した時に、凸部３Ｂのほぼ全体が液体中に浸漬され、安定して固化物を蓋３に保持することが可能になる。蓋３を容器１に設置したときに、蓋３の上に溢れた液体は、固化させる前に廃棄すればよい。
【００１５】
以上実施例に沿って本考案を説明したが、本考案はこれらに制限されるものではない。例えば、種々の変更、改良、組み合わせ等が可能なことは当業者に自明であろう。
【図面の簡単な説明】
【００１６】
【図１】実施例による肌冷却具の断面図である。
【図２】他の実施例による肌冷却具の断面図である。
【符号の説明】
【００１７】
１  容器
２  脚
３  蓋
３Ａ  主部
３Ｂ  凸部
３Ｃ  取っ手
５  突起
【図１】
0003107241.tif 000003
【図２】
0003107241.tif 000004
(57)【要約】【課題】  携帯に便利で遊泳を補助するほか、ダイバーが手指を珊瑚等で傷つけるのを防止する機能を具えた手袋の提供。【解決手段】  軟質手袋本体の手指前端にプラスチック製の補助片が固定され、該補助片が手袋の指の間の水掻きを形成する。【選択図】        図１
0003107217.tif 000002
【実用新案登録請求の範囲】
【請求項１】
軟質手袋本体の手指前端にプラスチック製の補助片が固定され、該補助片が手袋の指の間の水掻きを形成し、水泳を補助することを特徴とする、手袋。
【考案の詳細な説明】
【技術分野】
【０００１】
本考案は一種の手袋に係り、特に、軟質手袋本体の手指前端にプラスチック製の補助片が固定され、該補助片が手袋の指の間の水掻きを形成し、携帯に便利で遊泳を補助するほか、ダイバーが手指を珊瑚等で傷つけるのを防止する機能を具えた手袋に関する。
【背景技術】
【０００２】
伝統的な軟質手袋、例えば手術用手袋等は、携帯に便利で且つ使い捨ての長所を有しており、業者に喜ばれている。このような手袋は手に着用され、手術等の特殊用途に適用されるだけであり、水泳する者にはなんの補助機能も有していない。また、ダイバー専用の手袋は、珊瑚等による切り傷を防止するため、相当に厚く製造されるが、コストが高くつくほか、他の用途を具備しない。
【考案の開示】
【考案が解決しようとする課題】
【０００３】
本考案は従来の軟質手袋の欠点及び不足のところを改善し、機能を向上した手袋を提供するものである。
【０００４】
即ち、本考案の主要な目的は、一種の手袋を提供することにあり、それは、軟質手袋本体の手指前端にプラスチック製の補助片が固定され、該補助片が手袋の指の間の水掻きを形成し、泳ぐのに便利で、スイマーに対する補助機能を有し、携帯に便利で遊泳速度を増すほか、遊泳学習に使用できるものとされる。
【０００５】
本考案のもう一つの目的は、一種の手袋を提供することにあり、それは、付設された補助片によりダイバーが手指を珊瑚等により傷つけるのを防止し、また、軟質手袋を保護して珊瑚等で破られるのを防止するものとする。
【課題を解決するための手段】
【０００６】
請求項１の考案は、軟質手袋本体の手指前端にプラスチック製の補助片が固定され、該補助片が手袋の指の間の水掻きを形成し、水泳を補助することを特徴とする、手袋としている。
【考案の効果】
【０００７】
本考案の手袋は、軟質手袋本体の手指前端にプラスチック製の補助片が固定され、該補助片が手袋の指の間の水掻きを形成し、泳ぐのに便利で、スイマーに対する補助機能を有し、携帯に便利で遊泳速度を増すほか、遊泳学習に使用できる。
【０００８】
また、本考案の手袋は、付設された補助片によりダイバーが手指を珊瑚等により傷つけるのを防止し、また、軟質手袋を保護して珊瑚等で破られるのを防止する。
【考案を実施するための最良の形態】
【０００９】
図１、２に示されるように、本考案は軟質手袋本体１の手指前端にプラスチック製の補助片２が固定されて、手袋本体１の指の間に鴨の足のような水掻き３を形成してなる（図２）。これによりスイマーが水中で泳ぐ時に、遊泳速度を増すほか、ダイバーが手指を珊瑚等で傷つけたりまた軟質手袋が破れるのを防止することができる。
【００１０】
総合すると、本考案の手袋は、携帯に便利で、大人も子供も使用でき、更にスイマーが遊泳速度を増すのを補助し、且つダイバーにとっては簡単で安全な手袋である。その実用性は明らかであり、且つ本考案の構造はこれまでにないものであり、新規性を有している。
【図面の簡単な説明】
【００１１】
【図１】本考案の平面構造図である。
【図２】本考案の分解図である。
【符号の説明】
【００１２】
１  手袋本体            ２  補助片                ３  水掻き
【図１】
0003107217.tif 000003
【図２】
0003107217.tif 000004
(57)【要約】      （修正有）【課題】被服を構成する各パーツの縫合部分に、一体的に芳香テープを逢着することにより、体臭を消臭し、併せて芳香により、リラクゼーション効果を促進する被服を提供する。【解決手段】被服を構成する各パーツの縫い代部分１に芳香剤を浸透させた芳香テープ３を縫合する構成とする。【選択図】図１
0003107220.tif 000002
【実用新案登録請求の範囲】
【請求項１】
被服１において、被服１を構成する各パーツの縫合部分に芳香剤を浸透させた芳香テープ５を一体的に縫合したことを特徴とする芳香被服。
【考案の詳細な説明】
【考案の詳細な説明】
【産業上の利用分野】
【０００１】  本考案は、被服を構成する各パーツの縫合部分に、一体的に芳香テープを逢着することにより、体臭を消臭し、併せて芳香により、リラクゼーション効果を促進する被服に関するものである。
【従来技術】
【０００２】  従来技術においては、被服の構成部分である芯地や肩パッドに消臭剤を浸透させ、或いはメッシュ製内ポケットに芳香剤を浸透させた匂い袋を挿入するといった技術のものであった。
【考案が解決しようとする課題】
【０００３】  従来技術によれば、芳香剤を浸透させた芯地や肩パッド、又は芳香剤を浸透した匂い袋を、被服本体とは別個にパーツとして芳香加工し、これらを被服本体の所定箇所に装着するという二段加工の工程が必要となり、このため加工工程の省略が課題となっていた。
【課題を解決するための手段】
【０００４】  前記の課題を解決するために、考案者は伸縮自在にして発香効果が永続する各種芳香テープが存在していることに着目し、これらの芳香テープを、被服を構成する各パーツを縫合する際に、その縫い目に一体的に縫い込むことにより、被服の各縫い目に芳香テープを配置し、もって課題である加工工程が省略できると同時に、体臭を消臭し併せて芳香によるリラクゼーション効果を発生させる手段を発案した。
【作用】
【０００５】  被服の襟周りに逢着する繊維性の伸縮自在の捲着テープと合わせて芳香テープを併せて縫合し、又身頃左右に逢着する袖を縫合する際に芳香テープを同時に縫い込み、更に前身頃と後身頃を縫合する際に同時に芳香テープを縫い込むことにより、芯地や肩パッドに芳香剤を浸透させ、或いは匂い袋を別途に製作する工程が省略され、１工程で芳香を発する被服を製作できる効果的作用が生ずる。
【実施例】
【０００６】  本考案を実施例について説明すれば、１は被服の縫い代部分、２は縫い目、３は芳香テープ、４は縫い糸であって、芳香テープ３を一体的に縫い込んだ状況を断面において示したものである。
【考案の効果】
【０００７】  本考案によれば、被服を着用したときに体臭を消去し、同時に芳香によるアロマテラピー効果が得られることは勿論、芳香テープを被服の縫製工程の中で一体的に逢着することにより、従来のよう芳香剤を浸透させたパーツを個別に製作する必要が無くなり、製作工程が省略されるという経済的効果がある。
【図面の簡単な説明】
【０００８】
【図１】  被服の縫製部分の断面を示したものである。
【符号の説明】
１、  被服の縫い代部分
２、  縫い目
３、  芳香テープ
４、  縫い糸
【図１】
0003107220.tif 000003
(57)【要約】【課題】単純な形状で、子どもが適正な箸の持ち方をするように誘導することのできる箸を得ることを課題とする。【解決手段】この考案では、箸１の親指の配置部分に環状の凸部２を１本形成し、親指の位置のみのを、視覚と感覚より認識することが出来る形状をとる。【選択図】  図１
0003107216.tif 000002
【実用新案登録請求の範囲】
【請求項１】
親指を置く位置に、親指を配置する目印として環状の凸部が設けられ、使用者が箸を正しく持つことができるように誘導することを特徴とする子ども用箸
【考案の詳細な説明】
【技術分野】
【０００１】
この考案は、子ども用箸に関するものである。
【背景技術】
【０００２】
子どもが正しく箸を持つことが出来るように工夫されたものが、いくつか提案されている。
箸自体に凹凸を設け、指が固定できるように工夫されている箸が既に提案されている。
【特許文献１】実開平７−１４５９号公報
【０００３】
上記実用新案は、箸に親指、人差し指、薬指のそれぞれを位置させる溝を形成したものである。
【考案の開示】
【考案が解決しようとする課題】
【０００４】
複雑な形状をしているものは、子どもの手の大きさによって適正な指の位置が異なるため、成長に合わせて手にあった大きさのものに変えなければならず、また、通常の箸を利用することになると持つ位置が急に不確定になるため、順応するまでに時間を有するという問題点があった。
また、全ての指を所定の位置に配置するようにした箸では、子どもの負担も大きく、指導する親の立場からも、複雑で面倒という問題点があった。
この考案は、単純な形状で子どもが箸を正しく持つことが出きるように誘導することのできる子ども用箸を得ることを課題とするものである。
【課題を解決するための手段】
【０００５】
そこで、この考案では、箸の親指の配置部分に凸を持った１本の線を環状に形成し、親指の位置のみを、視覚と感覚より認識することが出来る形状をとる。
【考案の効果】
【０００６】
親指の配置位置のみを目安とすることで、子どもにとっての負担も少なく、まずは親指の位置のみに集中することが可能となり、指導する親の立場からも容易に指導することが可能となる。そして、親指が適正な位置にあれば自然と箸を安定して保持することができ、正しい持ち方への誘導が容易となる。また、親指の位置に凸部があるのみであるから子どもが成長して手が大きくなっても同じ箸を長い期間使用することができる。
【考案を実施するための最良の形態】
【０００７】
以下に最良の形態の実施例を示す。
【実施例】
【０００８】
図1において、箸１の親指配置部分に環状の凸部２を１本形成してこの考案の箸を構成する。凸部２によって親指の配置位置を視覚と感覚より認識することが出来るので、子どもが親指を凸部２に沿わせて箸を保持することに集中できる。親指を凸部２に沿わせることにより、安定して箸を保持することができる。
【産業上の利用可能性】
【０００９】
この考案は、容易に商品化可能であり、産業上利用し得るものである。
【図面の簡単な説明】
【００１０】
【図１】この考案実施例の図
【符号の説明】
【００１１】
１  箸
２  凸部
【図１】
0003107216.tif 000003
(57)【要約】【課題】１本のリードで２匹の犬をつなぐ。【解決手段】１本のリードの両端のそれぞれに犬の首輪をつなぐナスカンをとりつける。【選択図】図１
0003107239.tif 000002
【実用新案登録請求の範囲】
【請求項１】
両端にナスカンをとりつけた犬のリード。
【考案の詳細な説明】
【技術分野】
【０００１】  本考案はリードの両端にそれぞれナスカンを取り付けることにより、２匹の犬をつなげるようにした。
【背景技術】
【０００２】  従来の犬のリードは、１本につき１匹つなぐものである。
【考案の開示】
【考案が解決しようとする課題】
【０００３】  従来、２匹の犬の散歩には、２本のリードを持って行ったので，個々の犬の力に効しきれず、困難であった。
【課題を解決するための手段】
【０００４】  犬のリードの両端にナスカンを取り付けることにより、１本で２匹の犬をつなげるようにした。
【考案の効果】
【０００５】  従来の、犬のリードは、１匹につき１本を使用することを目的としている。２匹の犬の散歩には、２本のリードを使用しなければならないので、個々の力に効しきれず、困難であった。
本考案は、それを解決するため、１本のリードの両端にそれぞれナスカンを取り付け２匹の犬をつなげるようにし、散歩の時、片方の手だけでコントロール出来るようにし、負担を軽くした。
【考案を実施するための最良の形態】
【０００６】  本考案は、１本の犬のリードの両端のそれぞれの先端にナスカンを取り付け２匹の犬をつなげるようにし、リードの中央を片方の手で持って、コントロールしやすくし、手の負担をかけずに、２匹の犬の散歩ができるようにした。
【図面の簡単な説明】
【０００７】
【図１】  本考案で２匹の犬つないだ時を想定したときの図である。
【図２】  本考案をまっすぐにのばした時の図である。
【図１】
0003107239.tif 000003
【図２】
0003107239.tif 000004